(57)【要約】【課題】強固なセキュリティを有する携帯用電界通信装置、電界通信セキュリティシステム、電界通信方法及び電界通信セキュリティ方法を提供することを課題とする。【解決手段】認証情報を認証情報記憶部１１に記憶しておき、携帯用電界通信装置１００の動作変化を入力情報として検知し、携帯用電界通信装置１００が待機状態である場合に検知された入力情報が認証情報記憶部１１の認証情報に一致するか否かを判定し、入力情報が認証情報に一致する場合に携帯用電界通信装置１００を待機状態から実行可能状態に変化させる。【選択図】図１
2010074608.tif 000002
【特許請求の範囲】
【請求項１】
電極から電界を電界伝達媒体に誘起して電界通信を行うことが可能な携帯用電界通信装置において、
認証情報を記憶しておく認証情報記憶手段と、
前記携帯用電界通信装置の動作変化を入力情報として検知するモーションセンサと、
前記携帯用電界通信装置が待機状態である場合に検知された前記入力情報が前記認証情報記憶手段から読み出した前記認証情報に一致するか否かを判定する判定手段と、
前記入力情報が前記認証情報に一致する場合に、前記携帯用電界通信装置を前記待機状態から実行可能状態に変化させる状態可変手段と、
を有することを特徴とする携帯用電界通信装置。
【請求項２】
前記携帯用電界通信装置を識別する識別情報を記憶しておく識別情報記憶手段と、
前記実行可能状態に変化した後に検知された入力情報と前記識別情報記憶手段から読み出した前記識別情報とを送信電極から電界により送信する送信手段と、
を更に有することを特徴とする請求項１に記載の携帯用電界通信装置。
【請求項３】
電極から電界を電界伝達媒体に誘起して電界通信を行うことが可能な携帯用電界通信装置及び認証用電界通信装置を備えた電界通信セキュリティシステムにおいて、
前記携帯用電界通信装置は前記電界伝達媒体としての人体で所持され、前記認証用電界通信装置は所定の動作を行う装置に配置され、当該人体の一部が当該認証用電界通信装置の受信電極に接触しているものであって、
前記携帯用電界通信装置は、
認証情報を記憶しておく認証情報記憶手段と、
前記携帯用電界通信装置を識別する識別情報を記憶しておく識別情報記憶手段と、
前記携帯用電界通信装置の動作変化を入力情報として検知するモーションセンサと、
前記携帯用電界通信装置が待機状態である場合に検知された第１の前記入力情報が前記認証情報記憶手段から読み出した前記認証情報に一致するか否かを判定する判定手段と、
前記第１の入力情報が前記認証情報に一致する場合に、前記携帯用電界通信装置を前記待機状態から実行可能状態に変化させる状態可変手段と、
前記実行可能状態に変化した後に検知された第２の前記入力情報と前記識別情報記憶手段から読み出した前記識別情報とを送信電極から前記認証用電界通信装置に電界により送信する送信手段と、を有し、
前記認証用電界通信装置は、
装置稼動用認証情報を記憶しておく装置稼働用認証情報記憶手段と、
前記携帯用電界通信装置を識別する電界通信装置用識別情報を記憶しておく電界通信装置用識別情報記憶手段と、
前記人体を介して伝達されてくる前記第２の入力情報及び前記識別情報を、前記受信電極を介して受信する受信手段と、
受信した前記第２の入力情報が前記装置稼働用認証情報記憶手段に記憶されている前記装置稼働用認証情報に一致するか否かを判定すると共に、受信した前記識別情報が前記電界通信装置用識別情報記憶手段に記憶されている前記電界通信装置用識別情報に一致するか否かを判定する判定手段と、
前記第２の入力情報が前記装置稼働用認証情報に一致し、前記識別情報が前記電界通信装置用識別情報に一致する場合に、前記装置に対して前記所定の動作を実行させる制御手段と、
を有することを特徴とする電界通信セキュリティシステム。
【請求項４】
前記携帯用電界通信装置は複数であって、
前記認証用電界通信装置の制御手段は、
当該各携帯用電界通信装置に対する前記各判定が所定の時間内に行なわれる場合に、前記装置に対して前記所定の動作を実行させることを特徴とする請求項３に記載の電界通信セキュリティシステム。
【請求項５】
電極から電界を電界伝達媒体に誘起して電界通信を行うことが可能な携帯用電界通信装置で行う電界通信方法において、
認証情報を認証情報記憶手段に記憶しておくステップと、
前記携帯用電界通信装置の動作変化を入力情報として検知するステップと、
前記携帯用電界通信装置が待機状態である場合に検知された前記入力情報が前記認証情報記憶手段から読み出した前記認証情報に一致するか否かを判定するステップと、
前記入力情報が前記認証情報に一致する場合に、前記携帯用電界通信装置を前記待機状態から実行可能状態に変化させるステップと、
を有することを特徴とする電界通信方法。
【請求項６】
前記携帯用電界通信装置を識別する識別情報を識別情報記憶手段に記憶しておくステップと、
前記実行可能状態に変化した後に検知された入力情報と前記識別情報記憶手段から読み出した前記識別情報とを送信電極から電界により送信するステップと、
を更に有することを特徴とする請求項５に記載の電界通信方法。
【請求項７】
電極から電界を電界伝達媒体に誘起して電界通信を行うことが可能な携帯用電界通信装置及び認証用電界通信装置を備えた電界通信セキュリティ方法において、
前記携帯用電界通信装置は前記電界伝達媒体としての人体で所持され、前記認証用電界通信装置は所定の動作を行う装置に配置され、当該人体の一部が当該認証用電界通信装置の受信電極に接触しているものであって、
前記携帯用電界通信装置により、
認証情報を認証情報記憶手段に記憶しておくステップと、
前記携帯用電界通信装置を識別する識別情報を識別情報記憶手段に記憶しておくステップと、
前記携帯用電界通信装置の動作変化を入力情報として検知するステップと、
前記携帯用電界通信装置が待機状態である場合に検知された第１の前記入力情報が前記認証情報記憶手段から読み出した前記認証情報に一致するか否かを判定するステップと、
前記第１の入力情報が前記認証情報に一致する場合に、前記携帯用電界通信装置を前記待機状態から実行可能状態に変化させるステップと、
前記実行可能状態に変化した後に検知された第２の前記入力情報と前記識別情報記憶手段から読み出した前記識別情報とを送信電極から前記認証用電界通信装置に電界により送信するステップと、を有し、
前記認証用電界通信装置により、
装置稼動用認証情報を装置稼働用認証情報記憶手段に記憶しておくステップと、
前記携帯用電界通信装置を識別する電界通信装置用識別情報を電界通信装置用識別情報記憶手段に記憶しておくステップと、
前記人体を介して伝達されてくる前記第２の入力情報及び前記識別情報を、前記受信電極を介して受信するステップと、
受信した前記第２の入力情報が前記装置稼働用認証情報記憶手段に記憶されている前記装置稼働用認証情報に一致するか否かを判定すると共に、受信した前記識別情報が前記電界通信装置用識別情報記憶手段に記憶されている前記電界通信装置用識別情報に一致するか否かを判定するステップと、
前記第２の入力情報が前記装置稼働用認証情報に一致し、前記識別情報が前記電界通信装置用識別情報に一致する場合に、前記装置に対して前記所定の動作を実行させるステップと、
を有することを特徴とする電界通信セキュリティ方法。
【発明の詳細な説明】
【技術分野】
【０００１】
本発明は、電界通信を行う携帯用電界通信装置、電界通信セキュリティシステム、電界通信方法及び電界通信セキュリティ方法の技術に関する。
【背景技術】
【０００２】
従来、電界を伝達する電界伝達媒体に対して送信すべきデータに基づく電界を誘起させ、また電界伝達媒体に誘起された電界を検出してデータ通信を行う電界通信装置が提案されている（特許文献１参照）。そして、このような電界通信装置は、該電界通信装置を識別する識別情報を電界により他の電界通信装置に送信することが可能となっている。
【特許文献１】特開２００３−３２４３９５公報
【発明の開示】
【発明が解決しようとする課題】
【０００３】
しかしながら、電界通信装置自身が認証鍵となるため、紛失や盗難により第三者に利用される危険性があるという問題があった。
【０００４】
本発明は、上記に鑑みてなされたものであり、強固なセキュリティを有する携帯用電界通信装置、電界通信セキュリティシステム、電界通信方法及び電界通信セキュリティ方法を提供することを課題とする。
【課題を解決するための手段】
【０００５】
請求項１に記載の本発明は、電極から電界を電界伝達媒体に誘起して電界通信を行うことが可能な携帯用電界通信装置において、認証情報を記憶しておく認証情報記憶手段と、前記携帯用電界通信装置の動作変化を入力情報として検知するモーションセンサと、前記携帯用電界通信装置が待機状態である場合に検知された前記入力情報が前記認証情報記憶手段から読み出した前記認証情報に一致するか否かを判定する判定手段と、前記入力情報が前記認証情報に一致する場合に、前記携帯用電界通信装置を前記待機状態から実行可能状態に変化させる状態可変手段と、を有することを要旨とする。
【０００６】
本発明にあっては、認証情報を認証情報記憶手段に記憶しておき、携帯用電界通信装置の動作変化を入力情報として検知し、携帯用電界通信装置が待機状態である場合に検知された入力情報が認証情報記憶手段の認証情報に一致するか否かを判定し、入力情報が認証情報に一致する場合に携帯用電界通信装置を待機状態から実行可能状態に変化させるため、強固なセキュリティを有する携帯用電界通信装置を提供することができる。即ち、一定時間放置されて使用不可能な待機状態にある携帯用電界通信装置を使用可能な実行可能状態に変化させるには、認証情報記憶手段に記憶された認証情報と同一になるように携帯用電界通信装置を動作変化させる必要があるため、紛失や盗難にあった場合でも携帯用電界通信装置を所持する本来のユーザ以外の第三者における使用を確実に防止することが可能となる。
【０００７】
請求項２に記載の本発明は、前記携帯用電界通信装置を識別する識別情報を記憶しておく識別情報記憶手段と、前記実行可能状態に変化した後に検知された入力情報と前記識別情報記憶手段から読み出した前記識別情報とを送信電極から電界により送信する送信手段と、を更に有することを要旨とする。
【０００８】
請求項３に記載の本発明は、電極から電界を電界伝達媒体に誘起して電界通信を行うことが可能な携帯用電界通信装置及び認証用電界通信装置を備えた電界通信セキュリティシステムにおいて、前記携帯用電界通信装置は前記電界伝達媒体としての人体で所持され、前記認証用電界通信装置は所定の動作を行う装置に配置され、当該人体の一部が当該認証用電界通信装置の受信電極に接触しているものであって、前記携帯用電界通信装置は、認証情報を記憶しておく認証情報記憶手段と、前記携帯用電界通信装置を識別する識別情報を記憶しておく識別情報記憶手段と、前記携帯用電界通信装置の動作変化を入力情報として検知するモーションセンサと、前記携帯用電界通信装置が待機状態である場合に検知された第１の前記入力情報が前記認証情報記憶手段から読み出した前記認証情報に一致するか否かを判定する判定手段と、前記第１の入力情報が前記認証情報に一致する場合に、前記携帯用電界通信装置を前記待機状態から実行可能状態に変化させる状態可変手段と、前記実行可能状態に変化した後に検知された第２の前記入力情報と前記識別情報記憶手段から読み出した前記識別情報とを送信電極から前記認証用電界通信装置に電界により送信する送信手段と、を有し、前記認証用電界通信装置は、装置稼動用認証情報を記憶しておく装置稼働用認証情報記憶手段と、前記携帯用電界通信装置を識別する電界通信装置用識別情報を記憶しておく電界通信装置用識別情報記憶手段と、前記人体を介して伝達されてくる前記第２の入力情報及び前記識別情報を、前記受信電極を介して受信する受信手段と、受信した前記第２の入力情報が前記装置稼働用認証情報記憶手段に記憶されている前記装置稼働用認証情報に一致するか否かを判定すると共に、受信した前記識別情報が前記電界通信装置用識別情報記憶手段に記憶されている前記電界通信装置用識別情報に一致するか否かを判定する判定手段と、前記第２の入力情報が前記装置稼働用認証情報に一致し、前記識別情報が前記電界通信装置用識別情報に一致する場合に、前記装置に対して前記所定の動作を実行させる制御手段と、を有することを要旨とする。
【０００９】
請求項４に記載の本発明は、前記携帯用電界通信装置は複数であって、前記認証用電界通信装置の制御手段は、当該各携帯用電界通信装置に対する前記各判定が所定の時間内に行なわれる場合に、前記装置に対して前記所定の動作を実行させることを要旨とする。
【００１０】
請求項５に記載の本発明は、電極から電界を電界伝達媒体に誘起して電界通信を行うことが可能な携帯用電界通信装置で行う電界通信方法において、認証情報を認証情報記憶手段に記憶しておくステップと、前記携帯用電界通信装置の動作変化を入力情報として検知するステップと、前記携帯用電界通信装置が待機状態である場合に検知された前記入力情報が前記認証情報記憶手段から読み出した前記認証情報に一致するか否かを判定するステップと、前記入力情報が前記認証情報に一致する場合に、前記携帯用電界通信装置を前記待機状態から実行可能状態に変化させるステップと、を有することを要旨とする。
【００１１】
請求項６に記載の本発明は、前記携帯用電界通信装置を識別する識別情報を識別情報記憶手段に記憶しておくステップと、前記実行可能状態に変化した後に検知された入力情報と前記識別情報記憶手段から読み出した前記識別情報とを送信電極から電界により送信するステップと、を更に有することを要旨とする。
【００１２】
請求項７に記載の本発明は、電極から電界を電界伝達媒体に誘起して電界通信を行うことが可能な携帯用電界通信装置及び認証用電界通信装置を備えた電界通信セキュリティ方法において、前記携帯用電界通信装置は前記電界伝達媒体としての人体で所持され、前記認証用電界通信装置は所定の動作を行う装置に配置され、当該人体の一部が当該認証用電界通信装置の受信電極に接触しているものであって、前記携帯用電界通信装置により、認証情報を認証情報記憶手段に記憶しておくステップと、前記携帯用電界通信装置を識別する識別情報を識別情報記憶手段に記憶しておくステップと、前記携帯用電界通信装置の動作変化を入力情報として検知するステップと、前記携帯用電界通信装置が待機状態である場合に検知された第１の前記入力情報が前記認証情報記憶手段から読み出した前記認証情報に一致するか否かを判定するステップと、前記第１の入力情報が前記認証情報に一致する場合に、前記携帯用電界通信装置を前記待機状態から実行可能状態に変化させるステップと、前記実行可能状態に変化した後に検知された第２の前記入力情報と前記識別情報記憶手段から読み出した前記識別情報とを送信電極から前記認証用電界通信装置に電界により送信するステップと、を有し、前記認証用電界通信装置により、装置稼動用認証情報を装置稼働用認証情報記憶手段に記憶しておくステップと、前記携帯用電界通信装置を識別する電界通信装置用識別情報を電界通信装置用識別情報記憶手段に記憶しておくステップと、前記人体を介して伝達されてくる前記第２の入力情報及び前記識別情報を、前記受信電極を介して受信するステップと、受信した前記第２の入力情報が前記装置稼働用認証情報記憶手段に記憶されている前記装置稼働用認証情報に一致するか否かを判定すると共に、受信した前記識別情報が前記電界通信装置用識別情報記憶手段に記憶されている前記電界通信装置用識別情報に一致するか否かを判定するステップと、前記第２の入力情報が前記装置稼働用認証情報に一致し、前記識別情報が前記電界通信装置用識別情報に一致する場合に、前記装置に対して前記所定の動作を実行させるステップと、を有することを要旨とする。
【発明の効果】
【００１３】
本発明によれば、強固なセキュリティを有する携帯用電界通信装置、電界通信セキュリティシステム、電界通信方法及び電界通信セキュリティ方法を提供することができる。
【発明を実施するための最良の形態】
【００１４】
以下、本発明の実施の形態について図面を用いて説明する。
【００１５】
〔第１の実施の形態〕
図１は、第１の実施の形態に係る携帯用電界通信装置の機能ブロック構成を示すブロック図である。この携帯用電界通信装置１００は、認証情報を記憶しておく認証情報記憶部１１と、携帯用電界通信装置１００を識別する識別情報を記憶しておく識別情報記憶部１２と、携帯用電界通信装置１００の動作変化を入力情報として検知するモーションセンサ１３と、検知された入力情報が認証情報に一致するか否かを判定する判定部１４と、携帯用電界通信装置１００のプロセス状態を変化させる状態可変部１５と、検知された入力情報と識別情報とを送信する送信部１６と、携帯用電界通信装置１００のプロセス状態を管理するＣＰＵ１７と、電界を電界伝達媒体に誘起する通信回路１８と、電極１９とを備えた構成である。
【００１６】
認証情報記憶部１１には、携帯用電界通信装置１００を使用開始又は再開する際の認証に用いる認証情報が蓄積されており、例えば、「Ａ」，「Ｂ」，「Ｃ」等の文字や、「○」，「△」，「□」等の図形や、記号やシンボル等で構成される認証情報が蓄積されている。また、このような認証情報としては、「○」等の簡単な図形を右回り左回りさせた組み合わせ、具体的には、「右回り２回→左回り３回→右回り１回」等のように連続した組み合わせで構成したものでもよい。また、識別情報記憶部１２には、携帯用電界通信装置１００を一意に識別する識別情報が蓄積されている。このような認証情報記憶部１１及び識別情報記憶部１２は、メモリやハードディスク等の記憶媒体を用いて実現することが可能である。
【００１７】
モーションセンサ１３は、携帯用電界通信装置１００の動作変化を検知する機能を備えている。具体的には、携帯用電界通信装置１００を動作させた場合に生じる前後方向，左右方向，上下方向に対する加速度の変化や磁気の変化等を感知して携帯用電界通信装置１００の動きや傾きを検出し、その動きに対応する内容を入力情報として出力する機能を備えている。例えば、ユーザが携帯用電界通信装置１００を手に所持して円を描いた場合には、「○」が入力情報として出力されることになる。なお、モーションセンサは、切替スイッチにより検知機能をオン・オフすることが可能となっている。このようなモーションセンサは、例えばＮＴＴドコモ（株）から発売されている９０５ｉシリーズの携帯電話に搭載された体感型のゲーム等に用いられている。
【００１８】
判定部１４は、携帯用電界通信装置１００が待機状態である場合にモーションセンサ１３で検知された入力情報が認証情報記憶部１１に蓄積されている認証情報に一致するか否かを判定する機能を備えている。
【００１９】
状態可変部１５は、携帯用電界通信装置１００における処理全体を司るＣＰＵ１７のプロセス状態を変化させる機能を備えている。プロセス状態とは、一般的に、処理の実行が不可能な待機状態と、処理の実行が可能であるが未実行状態である実行可能状態と、現在処理が実行されている実行状態とに分類することができる。本実施の形態における待機状態とは、スリープ状態，休止状態，ログアウト状態等を包括する意味を有している。
【００２０】
送信部１６は、実行可能状態に変化した後にモーションセンサ１３で検知された入力情報と、識別情報記憶部１２に蓄積されている識別情報とを通信回路１８を通じて電極１９から電界により送信する機能を備えている。
【００２１】
通信回路１８は、電極１９から携帯用電界通信装置１００を所持する電界伝達媒体としての人体に誘起して送信部１６から出力された入力情報と識別情報とを人体に出力する機能を備えている。図２は、通信回路の回路構成を示す回路構成図である。この通信回路１８は、インタフェース回路５１を介して処理装置Ａ（図１に示す点線部分に相当）に接続されている。通信回路１８は、この送信部１６からインタフェース回路５１を介して他の処理装置Ａ’に送信するための送信データ（前述した入力情報及び識別情報に相当）を受け取ると、レベル調整回路５２で送信データの信号振幅を調整してから、送信回路５３を介して送信電極として機能する第２の通信電極１９ｂに供給するようになっている。
【００２２】
第２の通信電極１９ｂは、送信回路５３から送信データが供給されると、この送信データに対応する電界を電界伝達媒体６０に誘起する。この誘起された電界は、電界伝達媒体６０を伝達して、他の処理装置Ａ’の受信電極で受信される。
【００２３】
一方、電界検出光学部５４は、受信電極として機能する第１の通信電極１９ａで受信した電界が供給され、電界光学手法を利用した電界検出光学部５４内で別途発生するレーザ光を偏光変化させた後、電気信号に変換する。この電気信号は、信号処理回路５５での帯域制限により不要な雑音が除去され、更に波形整形回路５６で波形が整形されてから、インタフェース回路５１を介して処理装置Ａに供給されるようになっている。なお、第１の通信電極１９ａと第２の通信電極１９ｂは、一体化して１つの電極１９で各電極を構成してもよいものである。
【００２４】
次に、本実施の形態に係る携帯用電界通信装置の処理について説明する。図３は、携帯用電界通信装置の処理フローを示すフロー図である。なお、携帯用電界通信装置１００は、ある一定の期間放置されていたために待機状態となっているものとする。
【００２５】
最初に、モーションセンサ１３が、図４に示すように正規のユーザによって携帯用電界通信装置１００を用いて描かれた入力情報を検知する（ステップＳ１０１）。
【００２６】
次に、判定部１４が、認証情報記憶部１１から認証情報を読み出して、モーションセンサ１３で検知された入力情報が認証情報に一致するか否かを判定する（ステップＳ１０２）。
【００２７】
そして、状態可変部１５は、ステップＳ１０２での判定の結果、入力情報が認証情報に一致する場合に、携帯用電界通信装置１００を待機状態から実行可能状態に変化させるようにＣＰＵ１７に対して命令する（ステップＳ１０３）。この状態で、携帯用電界通信装置１００を用いて電界通信を行うことが可能となる。
【００２８】
一方、ステップＳ１０２での判定の結果、入力情報が認証情報に一致しない場合には、ステップＳ１０１に戻り、携帯用電界通信装置１００は、入力情報が認証情報に一致するまでステップＳ１０１及びステップＳ１０２を繰り返す処理を行う。
【００２９】
その後、送信部１６は、携帯用電界通信装置１００が実行可能状態に変化した後にモーションセンサ１３で入力情報が検知された場合に、その入力情報と識別情報記憶部１２に蓄積されている識別情報とを通信回路１８を通じて電極１９から電界伝達媒体６０としての人体に電界により送信する（ステップＳ１０４）。
【００３０】
本実施の形態によれば、認証情報を認証情報記憶部１１に記憶しておき、携帯用電界通信装置１００の動作変化を入力情報として検知し、携帯用電界通信装置１００が待機状態である場合に検知された入力情報が認証情報記憶部１１の認証情報に一致するか否かを判定し、入力情報が認証情報に一致する場合に携帯用電界通信装置１００を待機状態から実行可能状態に変化させるので、強固なセキュリティを有する携帯用電界通信装置１００を提供することができる。即ち、一定時間放置されて使用不可能な待機状態にある携帯用電界通信装置１００を使用可能な実行可能状態に変化させるには、認証情報記憶部１１に記憶された認証情報と同一になるように携帯用電界通信装置１００を動作変化させる必要があるため、紛失や盗難にあった場合でも携帯用電界通信装置１００を所持する本来のユーザ以外の第三者における使用を確実に防止することが可能となる。
【００３１】
〔第２の実施の形態〕
図５は、第２の実施の形態に係る電界通信セキュリティシステムの全体構成を示す全体構成図である。この電界通信セキュリティシステムは、第１の実施の形態で説明した携帯用電界通信装置１００と、貸金庫３００の開錠の認証を行う認証用電界通信装置２００とを備えた構成である。貸金庫３００の表面には掌用電極２７ａが配置されていると共に貸金庫３００の手間床上には床電極２７ｂが配置されており、掌用電極２７ａ及び床電極２７ｂは認証用電界通信装置２００に接続されている。また、携帯用電界通信装置１００は電界伝達媒体６０としての人体により所持されているものとする。
【００３２】
図６は、本実施の形態に係る認証用電界通信装置の機能ブロック構成を示すブロック図である。この認証用電界通信装置２００は、貸金庫開錠用認証情報を記憶しておく貸金庫開錠用認証情報記憶部２１と、携帯用電界通信装置１００を識別する電界通信装置用識別情報を記憶しておく電界通信装置用識別情報記憶部２２と、携帯用電界通信装置１００から送信されてくる各情報を受信する受信部２３と、受信した情報が貸金庫開錠用認証情報及び電界通信装置用識別情報に一致するか否かを判定する判定部２４と、一定条件下で貸金庫を開錠する制御部２５と、電界を電界伝達媒体に誘起する通信回路２６と、掌用電極２７ａと、床電極２７ｂとを備えた構成である。
【００３３】
貸金庫開錠用認証情報記憶部２１は、施錠されている貸金庫３００を開錠する際に認証する貸金庫開錠用認証情報が蓄積されており、例えば、「Ａ」，「Ｂ」，「Ｃ」等の文字や、「○」，「△」，「□」等の図形や、記号やシンボル等で構成される認証情報が蓄積されている。また、このような認証情報としては、「○」等の簡単な図形を右回り左回りさせた組み合わせ、具体的には、「右回り２回→左回り３回→右回り１回」等のように連続した組み合わせで構成したものでもよい。また、電界通信装置用識別情報記憶部２２には、携帯用電界通信装置１００を識別する電界通信装置用識別情報が蓄積されている。このような貸金庫開錠用認証情報記憶部２１及び電界通信装置用識別情報記憶部２２は、メモリやハードディスク等の記憶媒体を用いて実現することが可能である。
【００３４】
受信部２３は、携帯用電界通信装置１００から送信され、電界伝達媒体６０としての人体を介して伝達されてくる入力情報及び識別情報を、通信回路２６を通じて掌用電極２７ａ又は床電極２７ｂを介して受信する機能を備えている。
【００３５】
判定部２４は、受信した入力情報が貸金庫開錠用認証情報記憶部２１に蓄積されている貸金庫開錠用認証情報に一致するか否かを判定すると共に、受信した識別情報が電界通信装置用識別情報記憶部２２に蓄積されている電界通信装置用識別情報に一致するか否かを判定する機能を備えている。
【００３６】
制御部２５は、判定部２４での判定結果が一致する場合に、例えば開錠信号を送信することにより貸金庫３００を開錠するように実行させる機能を備えている。
【００３７】
なお、通信回路１８が備える機能、及び携帯用電界通信装置１００が備える機能については第１の実施の形態で説明したものと同様なので、ここでは重複的説明は省略する。
【００３８】
次に、本実施の形態に係る電界通信セキュリティシステムの処理について説明する。図７は、電界通信セキュリティシステムの処理フローを示すフロー図である。なお、ステップＳ２０１〜ステップＳ２０４については、図３を用いて説明したステップＳ１０１〜ステップＳ１０４の処理と略同様である。
【００３９】
最初に、携帯用電界通信装置１００のモーションセンサ１３が、図４に示したように正規のユーザによって携帯用電界通信装置１００を用いて描かれた入力情報を検知する（ステップＳ２０１）。例えば、図４では右回転の「○（円）」が描かれている。
【００４０】
次に、携帯用電界通信装置１００の判定部１４が、認証情報記憶部１１から認証情報を読み出して、モーションセンサ１３で検知された入力情報が認証情報に一致するか否かを判定する（ステップＳ２０２）。
【００４１】
そして、携帯用電界通信装置１００の状態可変部１５は、ステップＳ２０２での判定の結果、入力情報が認証情報に一致する場合に、携帯用電界通信装置１００を待機状態から実行可能状態に変化させるようにＣＰＵ１７に対して命令する（ステップＳ２０３）。この状態で、携帯用電界通信装置１００を用いて電界通信を行うことが可能となる。
【００４２】
一方、ステップＳ２０２での判定の結果、入力情報が認証情報に一致しない場合には、ステップＳ２０１に戻り、携帯用電界通信装置１００は、入力情報が認証情報に一致するまでステップＳ２０１及びステップＳ２０２を繰り返す処理を行う。
【００４３】
その後、前述したユーザは、貸金庫３００の表面に配置された掌用電極２７ａに手を接触させるか、又は床電極２７ｂに足を接触させた状態で、貸金庫３００の開錠に必要な情報を携帯用電界通信装置１００を動作変化させることにより描く。例えば、図５では、図４とは異なる右回り方向の「□（四角）」が描かれている。
【００４４】
そして、携帯用電界通信装置１００の送信部１６は、携帯用電界通信装置１００が実行可能状態に変化した後にモーションセンサ１３で検知された入力情報と識別情報記憶部１２に蓄積されている識別情報とを通信回路１８を通じて電極１９から電界伝達媒体６０としての人体に電界により送信する（ステップＳ２０４）。
【００４５】
続いて、認証用電界通信装置２００の受信部２３は、電界伝達媒体６０としての人体を介して伝達されてくる入力情報及び識別情報を、通信回路２６を通じて掌用電極２７ａ又は床電極２７ｂを介して受信する（ステップＳ２０５）。
【００４６】
そして、認証用電界通信装置２００の判定部２４は、貸金庫開錠用認証情報記憶部２１に蓄積されている貸金庫開錠用認証情報を読み出して、受信した入力情報が貸金庫開錠用認証情報に一致するか否かを判定すると共に、電界通信装置用識別情報記憶部２２に蓄積されている電界通信装置用識別情報を読み出して、受信した識別情報が電界通信装置用識別情報に一致するか否かを判定する（ステップＳ２０６）。
【００４７】
その後、認証用電界通信装置２００の制御部２５は、ステップＳ２０６での判定の結果、入力情報が貸金庫開錠用認証情報に一致すると共に識別情報が電界通信装置用識別情報に一致する場合に、貸金庫３００に対して開錠信号を送信する（ステップＳ２０７）。この開錠信号に基づいて、貸金庫３００が開錠することになる。
【００４８】
一方、ステップＳ２０６での判定の結果、入力情報が貸金庫開錠用認証情報に一致しない、又は識別情報が電界通信装置用識別情報に一致しない場合には、ステップＳ２０７を実行することなく処理が終了する。
【００４９】
本実施の形態では、貸金庫の開錠を認証する認証用電界通信装置について説明したが、セキュリティを要する設備や安全性を担保する必要がある機械等に応用することが可能である。例えば、マンションの入り口に存在する自動ドアや、映画館や遊技場の入場ゲート、一般利用者が使用するには危険性の高いプレス機等を一例に挙げることができる。
【００５０】
また、本実施の形態では、携帯用電界通信装置１００が一つの場合について説明したが、複数の携帯用電界通信装置１００を用いる場合にも応用することが可能である。具体的には、携帯用電界通信装置１００ａを所持した者Ａと、携帯用電界通信装置１００ｂを所持した者Ｂとが共に掌用電極２７ａ又は床電極２７ｂに接触し、認証用電界通信装置２００の制御部２５が、携帯用電界通信装置１００ａ及び携帯用電界通信装置１００ｂから夫々の入力情報及び識別情報を略同時に受信し、夫々の入力情報及び識別情報に対する夫々の判定が略同時（実際には、携帯用電界通信装置を動作変化させる速度が両者間で異なるため所定の時間内）に行なわれる場合に、貸金庫３００に開錠信号を送信するようにしても同様の効果を得ることができる。
【００５１】
本実施の形態によれば、携帯用電界通信装置１００の識別情報のみではなく、モーションセンサ１３により入力された入力情報も用いて認証するので、よりセキュリティの高い電界通信セキュリティシステムを提供することができる。
【図面の簡単な説明】
【００５２】
【図１】第１の実施の形態に係る携帯用電界通信装置の機能ブロック構成を示すブロック図である。
【図２】通信回路の回路構成を示す回路構成図である。
【図３】携帯用電界通信装置の処理フローを示すフロー図である。
【図４】携帯用電界通信装置を用いて入力情報を入力している状態を示す状態図である。
【図５】第２の実施の形態に係る電界通信セキュリティシステムの全体構成を示す全体構成図である。
【図６】本実施の形態に係る認証用電界通信装置の機能ブロック構成を示すブロック図である。
【図７】電界通信セキュリティシステムの処理フローを示すフロー図である。
【符号の説明】
【００５３】
１１…認証情報記憶部
１２…識別情報記憶部
１３…モーションセンサ
１４…判定部
１５…状態可変部
１６…送信部
１７…ＣＰＵ
１８…通信回路
１９…電極
１９ａ…第１の通信電極
１９ｂ…第２の通信電極
２１…貸金庫開錠用認証情報記憶部
２２…電界通信装置用識別情報記憶部
２３…受信部
２４…判定部
２５…制御部
２６…通信回路
２７ａ…掌用電極
２７ｂ…床電極
５１…インタフェース回路
５２…レベル調整回路
５３…送信回路
５４…電界検出光学部
５５…信号処理回路
５６…波形整形回路
６０…電界伝達媒体
１００，１００ａ，１００ｂ…携帯用電界通信装置
２００…認証用電界通信装置
３００…貸金庫
【図１】
2010074608.tif 000003
【図２】
2010074608.tif 000004
【図３】
2010074608.tif 000005
【図４】
2010074608.tif 000006
【図５】
2010074608.tif 000007
【図６】
2010074608.tif 000008
【図７】
2010074608.tif 000009